(57)【特許請求の範囲】
【請求項１】
液体である検体及び試薬が注入され、第一軸を中心に回転されることで遠心力が付与され、且つ、前記第一軸とは異なる第二軸を中心に回転されることで前記遠心力の方向が変化される検査チップであって、
前記検体または前記試薬を定量する定量部と、
前記定量部に前記検体または前記試薬を供給する供給部と、
前記検体と前記試薬とが混合される混合部側に向けて前記検体または前記試薬を案内する第一案内部と、
前記定量部において余剰とされた前記検体または前記試薬を収容する余剰部側に向けて前記検体または前記試薬を案内する第二案内部と、
前記定量部において、前記混合部に連通する前記第一案内部との接続箇所である第一接続部と、
前記定量部において、前記余剰部に連通する前記第二案内部との接続箇所である第二接続部と
を備え、
前記第一案内部が角度の異なる第一壁面と第二壁面からなり、
前記第一壁面が前記第一接続部において前記定量部と接続し、
前記第二壁面は前記第一壁面及び前記混合部と接続し、
前記第一接続部と前記第二接続部とを結ぶ定量面と平行、且つ、前記第二接続部から前記第一接続部へ向かう方向と同方向に、前記供給部の前記定量部側の端部から向かう方向と、前記供給部の前記定量部側の端部から延設される壁面の延設方向とのなす第１角度と、
前記定量面と平行、且つ、前記第二接続部から前記第一接続部へ向かう方向と同方向に、前記第一壁面と前記第二壁面との接続部から向かう方向と、前記第一壁面と前記第二壁面との接続部から延設される前記第二壁面の延設方向とがなす第２角度と、
前記定量面と平行、且つ、前記第一接続部から前記第二接続部へ向かう方向と同方向に、前記第二接続部から向かう方向と、前記第二接続部から延設される前記第二案内部の壁面の延設方向とがなす第３角度と、
前記定量面と平行、且つ、前記第二接続部から前記第一接続部へ向かう方向と同方向に、前記第一接続部から向かう方向と、前記第一接続部から延設される前記第一壁面の延設方向とがなす第４角度とは、
０＜第１角度＜第３角度＜第２角度
及び、
０＜第４角度＜第３角度
の関係を有することを特徴とする検査チップ。
【請求項２】
前記第二壁面は、前記第一壁面との接続部と反対側の端部である第一端部を備え、
前記定量面と平行、且つ、前記第二接続部から前記第一接続部へ向かう方向と同方向に、前記定量部の底部から向かう方向と、前記底部から延設され、前記第一接続部に接続する前記定量部の壁面とがなす第５角度は、前記定量面と平行、且つ、前記第二接続部から前記第一接続部へ向かう方向と同方向に、前記第一接続部から向かう方向と、前記第一接続部と前記第一端部とをつなぐ直線と、のなす第６角度より大きいことを特徴とする請求項１に記載の検査チップ。
【請求項３】
前記供給部から前記定量部に向けて前記検体または前記試薬を案内する第三案内部を備え、
前記定量部に近い前記第三案内部の端部である第二端部は、前記第二接続部と前記第一端部を結ぶ直線よりも前記定量部と反対側にあることを特徴とする請求項２に記載の検査チップ。
【請求項４】
前記供給部に供給される前記検体、または前記試薬を保持する保持部と、
前記保持部から前記供給部に向かう延設方向に延び、前記保持部と前記供給部とを連通する連通路と、
を備え、
前記第二端部と反対側の前記第三案内部の端部である第三端部を通る傾斜面であって、前記傾斜面よりも前記延設方向側の前記供給部の体積が、前記連通路の前記延設方向の端部における前記延設方向と垂直な仮想面よりも前記延設方向側の前記供給部の体積と同じになる前記傾斜面と、前記定量面に平行、且つ、前記第二接続部から前記第一接続部へ向かう方向と同方向に、前記供給部の前記定量部側の端部から向かう方向とのなす第７角度は、前記第６角度よりも小さいことを特徴とする請求項３に記載の検査チップ。
【発明の詳細な説明】
【技術分野】
【０００１】
本発明は、検体と試薬とが混合される混合部を有する検査チップに関する。
【背景技術】
【０００２】
従来、生体物質、または化学物質等の検体を検査するための検査チップが知られている。例えば特許文献１に開示の検査チップは、正面から見てＶ字状の定量部を備えている。この検査チップでは、Ｖ字状の定量部の入り口方向に対して遠心力を作用させて、定量部に検体または試薬が注入される。次に遠心力の方向を変えずに定量部において検体または試薬が定量されるようになっている。そして遠心力の方向を変えて定量された検体または試薬が検査に使用される。
【先行技術文献】
【特許文献】
【０００３】
【特許文献１】特開２００９−１２１９１２号公報
【発明の概要】
【発明が解決しようとする課題】
【０００４】
特許文献１に開示の検査チップの定量部には、定量部に検体または試薬が定量される際に、検体または試薬が定量部から溢れ出る。この定量部において、溢出の際の液面である定量面までの容積の検体または試薬が定量される。定量部への検体または試薬の注入時に遠心力が定量面に垂直に印加されると、注入時の衝撃により、定量部以外の場所へ検体または試薬が飛び散る。この結果、注入が終了した時点で、定量部へ注入された検体または試薬が定量量に満たない可能性がある。よって、定量精度が低下するという問題点があった。
【０００５】
本発明の目的は、定量精度を向上する検査チップを提供することである。
【課題を解決するための手段】
【０００６】
液体である検体及び試薬が注入され、第一軸を中心に回転されることで遠心力が付与され、且つ、前記第一軸とは異なる第二軸を中心に回転されることで前記遠心力の方向が変化される検査チップであって、前記検体または前記試薬を定量する定量部と、前記定量部に前記検体または前記試薬を供給する供給部と、前記検体と前記試薬とが混合される混合部側に向けて前記検体または前記試薬を案内する第一案内部と、前記定量部において余剰とされた前記検体または前記試薬を収容する余剰部側に向けて前記検体または前記試薬を案内する第二案内部と、前記定量部において、前記混合部に連通する前記第一案内部との接続箇所である第一接続部と、前記定量部において、前記余剰部に連通する前記第二案内部との接続箇所である第二接続部とを備え、前記第一案内部が角度の異なる第一壁面と第二壁面からなり、前記第一壁面が前記第一接続部において前記定量部と接続し、前記第二壁面は前記第一壁面及び前記混合部と接続し、前記第一接続部と前記第二接続部とを結ぶ定量面と平行、且つ、前記第二接続部から前記第一接続部へ向かう方向と同方向に、前記供給部の前記定量部側の端部から向かう方向と、前記供給部の前記定量部側の端部から延設される壁面の延設方向とのなす第１角度と、前記定量面と平行、且つ、前記第二接続部から前記第一接続部へ向かう方向と同方向に、前記第一壁面と前記第二壁面との接続部から向かう方向と、前記第一壁面と前記第二壁面との接続部から延設される前記第二壁面の延設方向とがなす第２角度と、前記定量面と平行、且つ、前記第一接続部から前記第二接続部へ向かう方向と同方向に、前記第二接続部から向かう方向と、前記第二接続部から延設される前記第二案内部の壁面の延設方向とがなす第３角度と、前記定量面と平行、且つ、前記第二接続部から前記第一接続部へ向かう方向と同方向に、前記第一接続部から向かう方向と、前記第一接続部から延設される前記第一壁面の延設方向とがなす第４角度とは、
０＜第１角度＜第３角度＜第２角度
及び、
０＜第４角度＜第３角度
の関係を有することを特徴とする。
【０００７】
上記検査チップによれば、供給部から遠心力、重力などの外力に沿って検体、または試薬が第一案内部を介して定量部に注入される際に、第２角度が第１角度より大きいので、第一案内部から混合部側に検体、または試薬が流出する可能性を低減できる。また、第２角度が第３角度よりも大きいので、第一案内部から混合部側に検体、または試薬が流出せずに、余剰部側に余剰の検体、または試薬を流すことが出来る。また、第２角度が第４角度よりも大きいので、第２角度を形成する第一案内部の第二壁面と第４角度を形成する第一案内部の第一壁面とにより検体、または試薬を保持することが可能となる。この保持された検体、または試薬が遠心力、重力などの外力が定量面に垂直に向いた際に、定量部に流入するので、定量部における検体、または試薬の定量時検体、または試薬が不足する可能性を低減できる。この結果、定量部への注入の際に、第一案内部から混合部側に検体、または試薬が流出する可能性を低減し、検体、または試薬の不足による定量精度の低下の可能性を低減し、検査精度の低下を低減できる。また、第３角度が第１角度よりも大きいので、供給部から定量部に検体、または試薬が注入される際に、定量部からあふれた検体、または試薬は、第二案内部の壁面に沿って、余剰部側に流れ込み易くなる。また、第３角度が第４角度よりも大きいので、供給部から定量部に検体、または試薬が注入される際に、定量部からあふれた検体、または試薬は、第一案内部側に流れずに、第二案内部の壁面に沿って、余剰部側に流れ込み易くなる。
【０００８】
前記検査チップにおいて、前記第二壁面は、前記第一壁面との接続部と反対側の端部である第一端部を備え、前記定量面と平行、且つ、前記第二接続部から前記第一接続部へ向かう方向と同方向に、前記定量部の底部から向かう方向と、前記底部から延設され、前記第一接続部に接続する前記定量部の壁面とがなす第５角度は、前記定量面と平行、且つ、前記第二接続部から前記第一接続部へ向かう方向と同方向に、前記第一接続部から向かう方向と、前記第一接続部と前記第一端部とをつなぐ直線と、のなす第６角度より大きくてもよい。
【０００９】
前記検査チップは、前記供給部から前記定量部に向けて前記検体または前記試薬を案内する第三案内部を備え、前記定量部に近い前記第三案内部の端部である第二端部は、前記第二接続部と前記第一端部を結ぶ直線よりも前記定量部と反対側にあってもよい。
【００１０】
前記検査チップは、前記供給部に供給される前記検体、または前記試薬を保持する保持部と、前記保持部から前記供給部に向かう延設方向に延び、前記保持部と前記供給部とを連通する連通路と、を備え、前記第二端部と反対側の前記第三案内部の端部である第三端部を通る傾斜面であって、前記傾斜面よりも前記延設方向側の前記供給部の体積が、前記連通路の前記延設方向の端部における前記延設方向と垂直な仮想面よりも前記延設方向側の前記供給部の体積と同じになる前記傾斜面と、前記定量面と平行、且つ、前記第二接続部から前記第一接続部へ向かう方向と同方向に、前記供給部の前記定量部側の端部から向かう方向とのなす第７角度は、前記第６角度よりも小さくてもよい。
【図面の簡単な説明】
【００１１】
【図１】検査装置１及び制御装置９０を含む検査システム３の構成を示す図である。
【図２】検査チップ２の正面図である。
【図３】検査チップ２の背面図である。
【図４】検査チップ２の正面の部分拡大図である。
【図５】検査チップ２の供給部１３２での第一試薬１８の状態を示す状態遷移図である。
【図６】遠心処理のフローチャートである。
【図７】遠心処理における検査チップ２の状態遷移図である。
【図８】図７の続きの検査チップ２の状態遷移図である。
【図９】図８の続きの検査チップ２の状態遷移図である。
【図１０】第一試薬１８が第一案内部１３８に保持された状態を示す検査チップ２の正面の部分拡大図である。
【図１１】第一試薬１８が第一案内部１３８にから試薬定量部１３４Ａに流れる状態を示す検査チップ２の正面の部分拡大図である。
【発明を実施するための形態】
【００１２】
本発明を具体化した実施形態について、図面を参照して説明する。尚、図１は、検査システム３を構成する検査装置１の平面及び制御装置９０の内部の機能ブロックを示している。
【００１３】
＜１．検査システム３の概略構造＞
図１を参照して、検査システム３の概略構造について説明する。本実施形態の検査システム３は、液体である検体及び試薬を収容可能な検査チップ２と、検査チップ２を用いて検査を行う検査装置１とを含む。検査装置１が検査チップ２から離間した垂直軸線Ａ１を中心として検査チップ２を回転させると、遠心力が検査チップ２に作用する。検査装置１が水平軸線Ａ２を中心に検査チップ２を回転させると、検査チップ２に作用する遠心力の方向である遠心方向が切り替えられる。尚、本実施形態の検査システム３及び検査装置１は、特開２０１２−７８１０７号公報に記載されているように周知の構造であるので、以下の説明では、検査装置１の構造の概略について説明する。
【００１４】
＜２．検査装置１の構造＞
図１を参照して、検査装置１の構造について説明する。以下の説明では、図１の上方、下方、右方、左方、紙面手前側、及び紙面奥側を、夫々、検査装置１の前方、後方、右方、左方、上方、及び下方とする。本実施形態では、垂直軸線Ａ１の方向は検査装置１の上下方向であり、水平軸線Ａ２の方向は、検査チップ２が垂直軸線Ａ１を中心として回転される際の速度の方向である。なお、図１は検査装置１の上部筐体３０の天板が取り除かれた状態を示す。
【００１５】
図１に示すように、検査装置１は、上部筐体３０、下部筐体３１、上板３２、ターンテーブル３３、角度変更機構３４、及び制御装置９０を備える。ターンテーブル３３は、後述する上板３２の上側に回転可能に設けられた円盤である。検査チップ２は、ターンテーブル３３の上方に保持される。角度変更機構３４は、ターンテーブル３３に設けられた駆動機構である。この角度変更機構３４は、水平軸線Ａ２を中心に検査チップ２を各々回転させる。上部筐体３０は、後述する上板３２に固定されており、検査チップ２に対して光学測定を行う測定部７が内部に設けられている。制御装置９０は、検査装置１の各種処理を制御するコントローラである。
【００１６】
下部筐体３１の概略構造を説明する。下部筐体３１は、枠部材を組み合わせた箱状のフレーム構造を有する。下部筐体３１の上面には、長方形の板材である上板３２が設けられている。下部筐体３１の内部には、垂直軸線Ａ１を中心にターンテーブル３３を回転させる駆動機構が、次のように設けられている。
【００１７】
下部筐体３１内の左方寄りに、ターンテーブル３３を回転させるための駆動力を供給する主軸モータ３５が設置されている。主軸モータ３５の軸３６は、上方に突出しており、プーリ３７が固定されている。下部筐体３１の中央部には、下部筐体３１の内部から上方に延びる垂直な主軸５７が設けられている。主軸５７は、上板３２を貫通して、下部筐体３１の上側に突出している。主軸５７の上端部は、ターンテーブル３３の中央部に接続されている。
【００１８】
主軸５７は、上板３２の直下に設けられた図示しない支持部材により、回転自在に保持されている。支持部材の下側では、主軸５７にプーリ３８が固定されている。プーリ３７とプーリ３８とに亘って、ベルト３９が掛け渡されている。主軸モータ３５が軸３６を回転させると、プーリ３７、ベルト３９、及びプーリ３８を介して駆動力が主軸５７に伝達される。このとき、主軸５７の回転に連動して、ターンテーブル３３が主軸５７を中心に回転する。
【００１９】
下部筐体３１内の右方寄りに、下部筐体３１の内部において上下方向に延びる図示しないガイドレールが設けられている。図示しないＴ型プレートは、ガイドレールに沿って下部筐体３１内において上下方向に移動可能である。
【００２０】
先述の主軸５７は、内部が中空の筒状体である。図示しない内軸は、主軸５７の内部において上下方向に移動可能な軸である。内軸の上端部は、主軸５７内を貫通してラックギア４３に接続されている。Ｔ型プレートの左端部には、図示しない軸受が設けられている。軸受の内部では、内軸の下端部が回転自在に保持される。
【００２１】
Ｔ型プレートの前方には、Ｔ型プレートを上下動させるためのステッピングモータ５１が固定されている。ステッピングモータ５１の軸５８は後方、すなわち図１では下方側に向けて突出している。軸５８の先端には、図示しない円盤状のカム板が固定されている。カム板の後側の面には、図示しない円柱状の突起が設けられている。突起の先端部は、図示しない溝部に挿入されている。突起は、溝部内を摺動可能である。ステッピングモータ５１が軸５８を回転させると、カム板の回転に連動して突起が上下動する。このとき、溝部に挿入されている突起に連動して、Ｔ型プレートがガイドレールに沿って上下動する。
【００２２】
角度変更機構３４の詳細構造を説明する。角度変更機構３４は、ターンテーブル３３の上面に固定された一対のＬ型プレート６０を有する。各Ｌ型プレート６０は、ターンテーブル３３の中心近傍に固定された基部から上方に延び、且つ、その上端部がターンテーブル３３の径方向外側に向けて延びている。一対のＬ型プレート６０の間には、内軸に固定された図示しないラックギア４３が設けられている。ラックギア４３は、上下方向に長い金属製の板状部材であり、両端面にギアが各々刻まれている。
【００２３】
各Ｌ型プレート６０の延設方向の先端側では、ギア４５を有する水平な支軸４６が回転自在に軸支されている。支軸４６は図示外の装着用ホルダを介して検査チップ２に固定されている。このため、ギア４５の回転に連動して検査チップ２も支軸４６を中心に回転する。ギア４５とラックギア４３との間には、Ｌ型プレート６０により図示略の水平軸線を中心に回転自在に支持されたピニオンギア４４が介在している。ピニオンギア４４は、ギア４５及びラックギア４３に夫々噛合している。ラックギア４３の上下動に連動して、ピニオンギア４４、及びギア４５が夫々従動回転し、ひいては検査チップ２が支軸４６を中心に回転する。
【００２４】
本実施形態では、主軸モータ３５がターンテーブル３３を回転駆動するのに伴って、検査チップ２が垂直軸である主軸５７を中心に回転して、検査チップ２に遠心力が作用される。検査チップ２の垂直軸線Ａ１を中心とした回転を、公転と呼ぶ。一方、ステッピングモータ５１が内軸を上下動させるのに伴って、検査チップ２が水平軸である支軸４６を中心に回転して、検査チップ２に作用する遠心力の方向が相対変化する。検査チップ２の水平軸線Ａ２を中心とした回転を、自転と呼ぶ。
【００２５】
Ｔ型プレートが可動範囲の最下端まで下降した状態では、ラックギア４３も可動範囲の最下端まで下降する。このとき、検査チップ２は、自転角度が０度の定常状態になる。また、Ｔ型プレートが可動範囲の最上端まで上昇した状態では、ラックギア４３も可動範囲の最上端まで上昇する。このとき、検査チップ２は、定常状態から水平軸線Ａ２を中心に１８０度回転した状態になる。つまり、本実施形態では検査チップ２が自転可能な角度幅は、自転角度０度〜１８０度である。
【００２６】
上部筐体３０の詳細構造を説明する。図１に示すように、上部筐体３０は、枠部材を組み合わせた箱状のフレーム構造を有し、上板３２の左部上側に設置されている。より詳細には、上部筐体３０は、ターンテーブル３３の回転中心にある主軸５７からみて、検査チップ２が回転される範囲の外側に設けられている。
【００２７】
上部筐体３０の内部に設けられた測定部７は、測定光を発光する光源７１と、光源７１から発せられた測定光を検出する光センサ７２とを有する。光源７１及び光センサ７２は、検査チップ２の回転範囲の外側において、ターンテーブル３３の前後両側に配置されている。本実施形態では、検査チップ２の公転可能範囲のうちで主軸５７の左側位置が、検査チップ２に測定光が照射される測定位置である。検査チップ２が測定位置にある場合、光源７１と光センサ７２とを結ぶ測定光が、検査チップ２の前面及び後面に対して略垂直に交差する。
【００２８】
＜３．制御装置９０の電気的構成＞
図１を参照して、制御装置９０の電気的構成について説明する。制御装置９０は、検査装置１の主制御を司るＣＰＵ９１と、各種データを一時的に記憶するＲＡＭ９２と、制御プログラムを記憶したＲＯＭ９３とを有する。ＣＰＵ９１には、ユーザが制御装置９０に対する指示を入力するための操作部９４と、各種データ、及びプログラムを記憶するハードディスク装置９５と、各種情報を表示するディスプレイ９６とが接続されている。制御装置９０としては、パーソナルコンピュータを用いてもよいし、専用の制御装置を用いてもよい。
【００２９】
さらに、ＣＰＵ９１には、公転コントローラ９７、自転コントローラ９８、及び測定コントローラ９９が接続されている。公転コントローラ９７は、主軸モータ３５を回転駆動させる制御信号を主軸モータ３５に送信することによって、検査チップ２の公転を制御する。自転コントローラ９８は、ステッピングモータ５１を回転駆動させる制御信号をステッピングモータ５１に送信することによって、検査チップ２の自転を制御する。測定コントローラ９９は、測定部７を駆動することによって、検査チップ２の光学測定を実行する。詳細には、測定コントローラ９９は、光源７１の発光、及び光センサ７２の光検出を実行させる制御信号を、光源７１及び光センサ７２に送信する。尚、ＣＰＵ９１が公転コントローラ９７、自転コントローラ９８及び測定コントローラ９９を制御する。
【００３０】
＜４．検査チップ２の構造＞
図２及び図３を参照して、本実施形態に係る検査チップ２の詳細構造を説明する。以下の説明では、図２の上方、下方、左方、右方、紙面手前側、及び紙面奥側を、それぞれ、検査チップ２の上方、下方、左方、右方、前方、及び後方とする。
【００３１】
図２及び図３に示すように、検査チップ２は一例として前方から見た場合に正方形状であり、所定の厚みを有する透明な合成樹脂の板材２０を主体とする。図２に示すように、板材２０の前面２０１は、透明の合成樹脂の薄板から構成されたシート２９１によって封止されている。図３に示すように、前面２０１の反対側の後面２０２は、透明の合成樹脂の薄板から構成されたシート２９２によって封止されている。図２及び図３に示すように、板材２０とシート２９１との間、及び、板材２０とシート２９２との間には、検査チップ２に封入された液体が流動可能な液体流路２５が形成されている。液体流路２５は、板材２０の前面２０１側及び後面２０２側に所定深さに形成された凹部であり、板材２０の厚み方向である前後方向と直交する方向に延びる。シート２９１，２９２は、板材２０の流路形成面を封止する。シート２９１，２９２は、図２及び図３以外では図示を省略している。
【００３２】
液体流路２５は、検体定量流路１１、試薬定量流路１３，１５、第一接続流路３０１、第二接続流路３３１、混合部８０、及び測定部８１等を含む。図２に示すように、試薬定量流路１３は、前面２０１における左上部に設けられている。検体定量流路１１は、前面２０１における試薬定量流路１３の右側に設けられている。図３に示すように、試薬定量流路１５は、後面２０２側における左上部に設けられている。混合部８０は、前面２０１における右下部に設けられている。混合部８０は、後述する通路１１７に接続されて下方に延びる、後述する端部３１５及び後述する流入口３０６より右側の流路を含む領域である。測定部８１は、混合部８０の下部である。
【００３３】
試薬定量流路１３、１５に共通する構成について説明する。図２及び図３に示すように、試薬定量流路１３，１５は、それぞれ、注入口１３０、試薬保持部１３１、供給部１３２、連通路１５４、試薬定量部１３４、第一案内部１３８、第二案内部１３７、第三案内部１３９、及び余剰部１３６を含む。試薬保持部１３１は、検査チップ２の左上部に設けられている。試薬保持部１３１は、上方に開口する凹部である。注入口１３０は、試薬保持部１３１の上部から検査チップ２の上辺部２１に向かって板材２０を貫通する。注入口１３０は、第一試薬１８又は第二試薬１９が試薬保持部１３１に注入される部位である。試薬定量流路１３の試薬保持部１３１は、試薬定量流路１３の注入口１３０から注入された第一試薬１８が貯留される部位である。試薬定量流路１５の試薬保持部１３１は、試薬定量流路１５の注入口１３０から注入された第二試薬１９が貯留される部位である。尚、本実施形態の第二試薬１９は、第一試薬１８と後述する検体１７Ａとが混合された後に混合される試薬である。以下の説明では、第一試薬１８、及び第二試薬１９を総称する場合、又はいずれかを特定しない場合、試薬１６という。
【００３４】
図２及び図３に示すように、供給部１３２は、試薬保持部１３１の右上部分から下方向に延びる流路である。供給部１３２の下端部は、流路が狭く形成された通路である第三案内部１３９に繋がっている。試薬保持部１３１と供給部１３２との間には、壁部２７が設けられている。この壁部２７は、左辺部２３から上辺部２１に向けて右斜め上方に延びる。第三案内部１３９の下方には、試薬定量部１３４が設けられている。第三案内部１３９は、試薬定量部１３４に試薬１６を案内する。試薬定量部１３４は、試薬１６が定量される部位であり、左下方に凹む凹部である。また、連通路１５４は、供給部１３２から試薬保持部１３１に向かう延設方向に延び、供給部１３２と試薬保持部１３１とを連通する。
【００３５】
試薬定量部１３４は、第一接続流路３０１を介して混合部８０と接続されており、第二案内部１３７を介して余剰部１３６と接続されている。試薬定量部１３４の混合部８０側の端部を第一接続部１４１という。試薬定量部１３４の混合部８０とは反対側の端部を第二接続部１４２という。第一接続部１４１と第二接続部１４２とを結ぶ面は、試薬定量面１４６である。試薬定量面１４６は、試薬１６が試薬定量部１３４において定量される場合における試薬１６の上面の位置となる仮想的な面である。従って、試薬定量面１４６より下方の液体流路２５の容量が試薬定量部１３４における定量量である。
【００３６】
試薬定量部１３４の上部から、第二案内部１３７が左斜め下方に延びる。すなわち、第二案内部１３７は第二接続部１４２から余剰部１３６に向けて延びる。第二案内部１３７は、試薬定量部１３４から溢れた試薬１６が移動する流路である。試薬定量部１３４の左下方には、試薬余剰部１３６が設けられている。試薬余剰部１３６は、第二案内部１３７を移動した試薬１６が収容される部位であり、第二案内部１３７の下端部から下方向及び右方向に設けられた凹部である。
【００３７】
第一接続流路３０１について説明する。以下の説明では、試薬定量流路１３の試薬定量部１３４を試薬定量部１３４Ａといい、試薬定量流路１５の試薬定量部１３４を試薬定量部１３４Ｂという。第一接続流路３０１は、前面２０１に形成され、試薬定量部１３４Ａと混合部８０とを接続する流路である。第一接続流路３０１は、試薬定量部１３４Ａの上部から右斜め上方に延び、右端部から下方に延び、下端部からさらに右方に延びる。第一接続流路３０１は、第一壁面３０２と第二壁面３０３とによって形成されている。第一壁面３０２は、試薬定量部１３４Ａと対向して混合部８０側に延びる壁面である。第一壁面３０２は、第三案内部１３９の下端から、後述する流入口３０６を形成する右端部３１４まで延びる。第二壁面３０３は、第一壁面３０２に対向する壁部である。第二壁面３０３は、試薬定量部１３４Ａの第一接続部１４１から、後述する流入口３０６を形成する右端部３１３まで延びる。
【００３８】
第一接続流路３０１は、部分受け部３０４、試薬受け部３０５、及び流入口３０６を備えている。部分受け部３０４は、試薬定量部１３４Ａにおいて定量された第一試薬１８の一部を保持する部位である。部分受け部３０４は、試薬定量部１３４Ａの右方、且つ後述する合流孔部３５１より試薬定量部１３４Ａ側に設けられている。部分受け部３０４は、第一接続部１４１から第二接続部１４２に向かう左方向に開口する凹部である。部分受け部３０４は、試薬定量部１３４Ａの容量よりも小さい容量を有する。
【００３９】
第二壁面３０３のうち、試薬定量部１３４Ａの第一接続部１４１に接続された壁面を試薬流路壁面３０８という。すなわち、試薬流路壁面３０８は、第一接続流路３０１において試薬定量部１３４Ａに接続されており、第一接続流路３０１の一部を形成する。試薬流路壁面３０８は、試薬定量流路１３の試薬定量面１４６を、試薬定量面１４６と平行に混合部８０側である右側に延ばした仮想的な面である仮想面３２０より、第三案内部１３９側に傾いている。より詳細には、試薬流路壁面３０８は、第一壁面３０８Ａと、第二壁面３０８Ｂとから構成される。第一壁面３０８Ａは、第一接続部１４１から右斜め上方に延び、接続部３０９において第二壁面３０８Ｂに接続している。第二壁面３０８Ｂは、接続部３０９から右斜め上方に延びる。試薬流路壁面３０８における混合部８０側の第一端部３１０から、試薬流路壁面３０８に垂直な方向に引いた仮想線３１１は、部分受け部３０４より試薬定量部１３４Ａ側の第一接続流路３０１の部位と交差する。尚、第三案内部１３９の下端において後述する第１角度θ１を構成する供給部１３２の壁面１３２Ｂに対して垂直な方向には第一壁面３０８Ａが形成されている。
【００４０】
試薬受け部３０５は、部分受け部３０４と混合部８０との間において、部分受け部３０４の下方に設けられている。試薬受け部３０５は、部分受け部３０４側である上方に開口を有する凹部であり、部分受け部３０４に保持された後に下方に移動する第一試薬１８を保持する部位である。試薬受け部３０５は、第二壁面３０３のうち、壁面３０３Ａ、壁面３０３Ｂ、及び壁面３０３Ｃによって形成されている。壁面３０３Ａは、試薬定量流路１３の試薬余剰部１３６の右方を上下に延びる壁面である。壁面３０３Ｂは、壁面３０３Ａの下端部から、右方向に延びる壁面である。壁面３０３Ｂの右端部は、混合部８０の左下方に位置する。壁面３０３Ｃは、壁面３０３Ｂの右端部から右斜め上方に延びる壁面である。
【００４１】
流入口３０６は、壁面３０３Ｃの右端部３１３と、右端部３１３の上方に位置する第一壁面３０２の右端部３１４とによって形成されている。流入口３０６は、混合部８０の左側に位置し、混合部８０に試薬１６を流入させる部位である。
【００４２】
第一接続流路３０１の下端部の左右方向中央部には、合流孔部３５１が設けられている。合流孔部３５１は、板材２０を前後方向に貫通し、第一接続流路３０１に第二接続流路３３１を合流させる孔部である。合流孔部３５１における第二壁面３０３側である下側の端部３５２と、端部３５２に対向する上側の端部３５３のうち、端部３５２は、第二壁面３０３の壁面３０３Ｂに沿って左右方向に延びる。端部３５３は、第一壁面３０２に沿っている。
【００４３】
第二接続流路３３１について説明する。図３に示すように、第二接続流路３３１は、後面２０２に形成され、試薬定量部１３４Ｂから混合部８０側に延び、試薬定量部１３４Ｂと混合部８０とを接続する流路である。第二接続流路３３１は、４つの試薬受け部３４１，３４２，３４３，３４４を備えている。試薬受け部３４１〜３４４は、試薬定量部１３４Ｂにおいて定量された第二試薬１９を受ける部位である。試薬受け部３４１は、試薬定量部１３４Ｂの右上方に位置し、左方に開口する凹部である。試薬受け部３４２は、試薬受け部３４１の左下方に位置し、上方に開口する凹部である。試薬受け部３４３は、試薬受け部３４２の右下方に位置し、左方に開口する凹部である。試薬受け部３４４は、試薬受け部３４３の下側に位置し、上方に開口する凹部である。
【００４４】
第二接続流路３３１は、試薬定量部１３４Ｂから右斜め上方に延びて試薬受け部３４１に繋がり、試薬受け部３４１から左斜め下方に延びて試薬受け部３４２に繋がる。第二接続流路３３１は、試薬受け部３４２から右斜め上方に延び、右端から下方に延びて試薬受け部３４３に繋がる。第二接続流路３３１は、試薬受け部３４３から左斜め下方に延びて試薬受け部３４４に繋がる。試薬受け部３４４の右端部は、合流孔部３５１に接続されており、前面２０１側の第一接続流路３０１に繋がる。
【００４５】
検体定量流路１１について説明する。図２に示すように、検体定量流路１１は、注入口１１０、検体保持部１１１、検体供給部１１２、検体案内部１１３、分離部１２４、通路１２５、通路１２７、検体余剰部１２６、第二供給部１２３、検体定量部１１４、通路１１５、通路１１７、及び第二余剰部１１６を含む。検体保持部１１１は、試薬定量流路１３の供給部１３２の右側に設けられている。検体保持部１１１は、上方に開口する凹部である。注入口１１０は、検体保持部１１１の上部から検査チップ２の上辺部２１に向かって板材２０を貫通する。注入口１１０は、検体１７が検体保持部１１１に注入される部位である。検体保持部１１１は、注入口１１０から注入された検体１７が貯留される部位である。本実施形態の検体１７は、例えば、血液、血漿、血球、骨髄、尿、膣組織、上皮組織、腫瘍、精液、唾液、又は食料品などの成分を含む液体である。検体供給部１１２は、検体保持部１１１の右上部分から下方に延びる流路である。検体供給部１１２の下端部は、流路が狭く形成された通路である検体案内部１１３に繋がっている。
【００４６】
検体案内部１１３の下方には、分離部１２４が設けられている。検体案内部１１３は、分離部１２４に検体１７を案内する。分離部１２４は検体１７に含まれる成分が分離される部位である。分離部１２４は、上方に開口し、右斜め下方に傾く凹部である。分離部１２４は、遠心力の作用によって、検体１７を比重の小さい成分と比重の大きい成分とに遠心分離する。以下の説明では、図７（Ｃ）に示すように分離部１２４において分離された検体１７の比重の小さい成分を検体１７Ａといい、比重の大きい成分を検体１７Ｂという。
【００４７】
分離部１２４の右側面における上下方向中央部から連結流路１２０が右斜め上方に延設され、連結流路１２０の上端部は成分保持部１２１の上端部に接続されている。成分保持部１２１は分離部１２４において分離された検体１７Ａと検体１７Ｂの一部とを保持する貯溜部である。また、連結流路１２０の流路の幅は、後述する通路１２７の流路の幅より狭い。このため、検体１７Ａは、連結流路１２０に流入するよりも先に通路１２７に流れ出す。故に、検体１７Ａが通路１２７より先に成分保持部１２１に流入してしまう可能性を低減できる。
【００４８】
分離部１２４の上部から、通路１２５が左斜め下方に延び、通路１２７が右斜め上方に延びている。通路１２５は、分離部１２４の左下方に設けられた検体余剰部１２６まで延びている。検体余剰部１２６は、分離部１２４から溢れ出た検体１７が貯留される部位であり、通路１２５の下端部から右方向及び下方向に設けられた凹部である。
【００４９】
通路１２７は、第二供給部１２３に繋がっている。第二供給部１２３は、通路１２７の右上部分から下方に延びる流路である。第二供給部１２３の下端は、流路が狭く形成された通路である第二案内部１２８に繋がっている。第二案内部１２８の下方には、検体定量部１１４が設けられている。第二案内部１２８は、検体定量部１１４に検体１７Ａを案内する。検体定量部１１４は、検体１７Ａを定量する部位であり、上側に開口する凹部である。
【００５０】
検体定量部１１４は、通路１１７を介して混合部８０と接続されており、通路１１５を介して第二余剰部１１６に接続されている。検体定量部１１４の混合部８０側の端部を第一検体端部１１８という。検体定量部１１４の混合部８０とは反対側の端部を第二検体端部１１９という。すなわち、通路１１５は第二検体端部１１９から第二余剰部１１６に延びる。第一検体端部１１８と第二検体端部１１９とを結ぶ面は、検体定量面１２９である。検体定量面１２９は、検体１７Ａが検体定量部１１４において定量される場合における検体１７Ａの上面の位置となる仮想的な面である。従って、検体定量面１２９より下方の液体流路２５の容量が検体定量部１１４における定量量である。
【００５１】
検体定量部１１４の上部から、通路１１５が左斜め下方に延び、通路１１７が右斜め上方に延びている。検体定量部１１４の左下方には、第二余剰部１１６が設けられている。通路１１５は、第二余剰部１１６に繋がっている。第二余剰部１１６は、検体定量部１１４から溢れ出た検体１７Ａが貯留される部位である。第二余剰部１１６は、通路１１５の下端部から右方向に設けられた凹部である。通路１１７は、混合部８０に繋がっている。
【００５２】
検体定量部１１４の混合部８０側に設けられ、検体定量部１１４に接続された壁面を検体流路壁面３１２という。検体流路壁面３１２は、検体定量面１２９を、検体定量面１２９と平行に混合部８０側である右側に延ばした仮想面３２１より、第二案内部１２８側に傾いている。より詳細には、検体流路壁面３１２は、検体定量部１１４の第一検体端部１１８から右斜め上方に延びる。また、混合部８０における検体流路壁面３１２と平行な仮想的な面を仮想面３１７という。仮想面３１７の位置は、混合部８０における、仮想面３１７より検体流路壁面３１２より遠い側である下側の部位と仮想面３１７とによって囲まれる領域３１８の容量が、試試薬定量部１３４Ａの容量から部分受け部３０４の容量を引いた差分容量と等しくなる位置である。検体流路壁面３１２における混合部８０側の端部３１５から、検体流路壁面３１２に垂直な方向に引いた仮想線３１６は、仮想面３１７と交差する。
【００５３】
混合部８０は、端部３１５及び流入口３０６の右側を、下方に延びる。混合部８０は、通路１１７を介して検体定量部１１４と繋がっている。混合部８０は、第一接続流路３０１を介して試薬定量部１３４Ａに繋がっている。混合部８０は、第二接続流路３３１を介して、試薬定量部１３４Ｂに繋がっている。混合部８０においては、検体定量部１１４において定量された検体１７Ａ、試薬定量部１３４Ａにおいて定量された第一試薬１８、及び試薬定量部１３４Ｂにおいて定量された第二試薬１９が混合される。後述する光学測定が行われる際には、混合部８０の下部を形成する測定部８１に測定光が透過される。
【００５４】
次に、図２及び図４を参照して、検査チップ２の構成の角度関係について説明する。以下では、第一接続部１４１と第二接続部１４２とを結ぶ試薬定量面１４６と平行な方向と供給部１３２の第一案内部１３８側の壁面１３２Ｂの延設方向とのなす角度が第１角度θ１である。試薬定量面１４６に平行な方向と第二壁面３０８Ｂの延設方向とがなす角度が第２角度θ２である。試薬定量面１４６に平行な方向と第二接続部１４２に接続する第二案内部１３７の壁面１３７Ａの延設方向とがなす角度が第３角度θ３である。試薬定量面１４６に平行な方向と第一壁面３０８Ａの延設方向とがなす角度が第４角度θ４である。試薬定量面１４６に平行な方向と第一接続部１４１に接続する試薬定量部１３４Ａの壁面１３４Ｃとがなす角度が第５角度θ５である。第二壁面３０８Ｂにおける接続部３０９と反対側の端部を第一端部３１０とすると、試薬定量面１４６に平行な方向と第一接続部１４１から第一端部３１０へ向かう直線１５１とのなす角度が第６角度θ６である。
【００５５】
上記検査チップ２においては、第３角度θ３が第１角度θ１よりも大きくなるように形成されている。また、第３角度θ３が第４角度θ４よりも大きくなるように形成されている。また、第２角度θ２が第３角度θ３よりも大きくなるように形成されている。すなわち、各角度θ１〜θ４は、以下の関係を満たすようになっている。
０＜第１角度θ１＜第３角度θ３＜第２角度θ２
及び、
０＜第４角度θ４＜第３角度θ３
【００５６】
上記検査チップ２によれば、供給部１３２から遠心力、重力などの外力に沿って第一試薬１８が第三案内部１３９を通過して第一案内部１３８を介して試薬定量部１３４Ａに注入される際に、第２角度θ２が第１角度θ１よりも大きいので、第一案内部１３８から混合部８０側に第一試薬１８が流出する可能性が低減される。
【００５７】
第２角度θ２が第３角度θ３よりも大きいので、第一案内部１３８から混合部８０側に第一試薬１８が流出せずに、余剰部１３６Ａに余剰の第一試薬１８が流入する。
【００５８】
第２角度θ２が第４角度θ４よりも大きいので、第２角度θ２を形成する第一案内部１３８の第二壁面３０８Ｂと、第４角度θ４を形成する第一案内部１３８の第一壁面３０８Ａとにより第一試薬１８が保持される。この保持された第一試薬１８が、遠心力、重力などの外力が試薬定量面１４６に垂直に向いた際に、試薬定量部１４３Ａに流入するので、試薬定量部１４３Ａにおける第一試薬１８の定量時に第一試薬１８が不足する可能性を低減できる。また、第２角度θ２が第４角度θ４よりも大きいので、供給部１３２に供給された第一試薬１８の試薬定量部１４３Ａへの注入の際に、第一試薬１８が第一壁面３０８Ａに接触し、広がっても、第二壁面３０８Ｂにより混合部８０側に流出する可能性が低減される。従って、試薬の不足による定量精度の低下の可能性、および混合部８０側に試薬が流出する可能性が低減され、検査精度の低下が低減される。
【００５９】
第３角度θ３が第１角度θ１よりも大きいので、供給部１３２から遠心力、重力などの外力に沿って第一試薬１８が第三案内部１３９を介して試薬定量部１３４Ａに注入される際に、試薬定量部１３４Ａからあふれた第一試薬１８は、第二案内部１３７の壁面１３７Ａに沿って、余剰部１３６Ａ側に流れ込み易くなる。
【００６０】
また、第３角度θ３が第４角度θ４よりも大きいので、供給部１３２から遠心力、重力などの外力に沿って第一試薬１８が第三案内部１３９を介して試薬定量部１３４Ａに注入される際に、試薬定量部１３４Ａからあふれた第一試薬１８は、第一案内部１３８側に流れずに、第二案内部１３７の壁面１３７Ａに沿って、余剰部側１３６Ａに流れ込み易くなる。  
【００６１】
また、上記検査チップ２においては、第５角度θ５が第６角度θ６よりも大きくなるように形成されている。従って、供給部１３２から遠心力、重力などの外力に沿って第一試薬１８が第三案内部１３９を介して試薬定量部１３４Ａに注入される際に、第一案内部１３８で保持される第一試薬１８の液量が多くなった場合に、混合部８０側よりも試薬定量部１３４Ａの方へ流れやすくなる。従って、第一案内部１３８で保持された第一試薬１８を試薬定量部１３４Ａに流入させることができる。従って、試薬定量部１３４Ａにおける第一試薬１８の定量量の不足による定量精度の低下がより低減される。また、第一案内部１３８で保持された第一試薬１８が混合部８０側に流出する可能性が低減され、検査精度の低下がより低減される。
【００６２】
また、図４に示すように、上記検査チップ２においては、第三案内部１３９の最も試薬定量部１３４Ａに近い第三案内部１３９の端部である第二端部１４０は、第二接続部１４２と第一端部３１０を結ぶ直線１５２よりも試薬定量部１３４Ａと反対側に位置する。
【００６３】
遠心力の方向が右方向に向き、供給部１３２に第一試薬１８が保持されている状態から、検査チップ２が反時計回りに第１角度θ１よりも小さい角度だけ自転され、遠心力により第三案内部１３９から第一試薬１８が流出した場合に、流出した第一試薬１８が第一案内部１３８内に収納される。よって、第一案内部１３８からの第一試薬１８の混合部８０側への流出による検査精度の低下を抑制できる。第二端部１４０が、第二接続部１４２と第一端部３１０を結ぶ直線１５２よりも試薬定量部１３４Ａと同じ側であるよりも第一案内部１３８の流路が広くなる。従って、第２角度θ２を形成する第一案内部１３８の第二壁面３０８Ｂと第４角度θ４を形成する第一案内部１３８の第一壁面３０８Ａとにより保持される第一試薬１８が移動しやすくなる。この結果、遠心力、重力などの外力が試薬定量面１４６に垂直に向いた際に試薬定量部１３４に流入せずに留まる可能性が低減され、試薬定量部１３４により定量された第一試薬１８以外の第一試薬１８が混合部８０側に流出する可能性が低減される。
【００６４】
また、図５（Ｂ）に示すように、検査チップ２は、試薬保持部１３１から供給部１３２に向かう延設方向に延び、試薬保持部１３１と供給部１３２とを連通する連通路１５４を備えている。第三端部２８は、第二端部１４０と反対側の第三案内部１３９の端部である。第三端部２８を通る仮想的な面が傾斜面１５０Ｂである。傾斜面１５０Ｂよりも連通路１５４の延設方向側、すなわち供給部１３２の壁面１３２Ｂ側の供給部１３２の体積が体積Ｖ２である。図５（Ａ）に示すように、連通路１５４の延設方向の端部２６における延設方向と垂直な仮想面１５０Ａよりも延設方向側、すなわち図２に示す右側の供給部１３２の体積が体積Ｖ１である。図５（Ｂ）に示すように、体積Ｖ２が体積Ｖ１と同じになる傾斜面１５０Ｂが試薬定量面１４６に平行な方向となす第７角度θ７は、第６角度θ６よりも小さく形成されている。
【００６５】
図５（Ａ）に示す体積Ｖ１程多量の第一試薬１８が供給部１３２に供給された場合、供給部１３２から試薬定量部１３４Ａへの第一試薬１８の注入過程において、傾斜面１５０Ｂに垂直な方向に遠心力が向いた時点から第三案内部１３９を介して試薬定量部１３４Ａに第一試薬１８が注入され始める。この注入開始時点において、第６角度θ６が第７角度θ７よりも大きいので、注入された第一試薬１８が、図２に示す第一端部３１０を超えて混合部８０側へ流入する可能性を低減できる。従って、検査精度の低下を低減できる。尚、供給部１３２に供給される第一試薬１８の量が、体積Ｖ１以下である場合にも、第６角度θ６が第７角度θ７よりも大きいので、第一端部３１０を超えて混合部８０側へ流入する可能性は低減される。
【００６６】
＜５．検査チップ２のその他構造＞
図１に示すように、Ｌ型プレート６０から延びる支軸４６は、図示外の装着用ホルダを介して板材２０の後面中央に垂直に連結される。支軸４６の回転に伴って、検査チップ２が支軸４６を中心に自転する。検査チップ２は図２及び図３に示す定常状態である場合、上辺部２１及び下辺部２４が重力Ｇの方向と直交し、右辺部２２及び左辺部２３が重力Ｇの方向と平行、且つ、左辺部２３が右辺部２２よりも主軸５７側に配置される。定常状態の検査チップ２が測定位置に配置されている状態において、光源７１と光センサ７２とを結ぶ測定光を測定部８１に通過させることで、検査装置１は光学測定による検査を行う。
【００６７】
＜６．検査方法の一例＞
検査装置１及び検査チップ２を用いた検査方法について説明する。図２に示すように、注入口１１０から検体１７が注入され、検体保持部１１１に配置される。試薬定量流路１３の注入口１３０から第一試薬１８が注入され、試薬定量流路１３の試薬保持部１３１に配置される。図３に示すように、試薬定量流路１５の注入口１３０から第二試薬１９が注入され、試薬定量流路１５の試薬保持部１３１に配置される。第一試薬１８、第二試薬１９、及び検体１７の配置方法は限定されない。例えば、シート２９１，２９２における検体保持部１１１及び試薬保持部１３１に対応する位置に穴が開いており、ユーザが穴から、検体１７、第一試薬１８、及び第二試薬１９を注入し、さらにシールをして封止してもよい。また、予め、第一試薬１８と第二試薬１９とが、試薬定量流路１３，１５のそれぞれの試薬保持部１３１に配置されて、シート２９１，２９２によって封止されていてもよい。この場合、シート２９１における検体定量流路１１の検体保持部１１１に対応する位置に穴が開いており、ユーザが穴から検体１７を注入し、さらにシールをして封止してもよい。
【００６８】
ユーザは検査チップ２を図示外の装着用ホルダに取り付けて、操作部９４から処理開始のコマンドを入力する。これによって、ＣＰＵ９１は、ＲＯＭ９３に記憶されている制御プログラムに基づいて、図６に示す遠心処理を実行する。尚、検査装置１は二つの検査チップ２を同時に検査可能であるが、以下では説明の便宜のため、一つの検査チップ２を検査する手順を説明する。以下の説明では、図２及び図３に示す検査チップ２の定常状態を自転角度０度といい、定常状態から９０度反時計回りに回転した状態を自転角度９０度という。尚、以下の説明においてＣＰＵ９１が検査チップ２を自転角度０度から９０度に回転させる場合、検査チップ２は、前方から見て反時計回りに回転する。また、ＣＰＵ９１が検査チップ２を自転角度９０度から０度に回転させる場合、検査チップ２は、前方から見て時計回りに回転する。
【００６９】
図６に示すように、ＣＰＵ９１は、ＨＤＤ９５に予め記憶されているモータの駆動情報を読み込み、公転コントローラ９７に主軸モータ３５の駆動情報をセットし、自転コントローラ９８にステッピングモータ５１の駆動情報をセットする（Ｓ１）。このとき、検査チップ２は図２及び図３に示すように、定常状態であり自転角度０度である。次いで、図１に示すＣＰＵ９１が公転コントローラ９７を制御し、主軸モータ３５の駆動を開始する（Ｓ２）。この結果、自転角度が０度の検査チップ２が公転する。主軸モータ３５は、公転コントローラ９７の指示に基づき、ターンテーブル３３の回転速度を速度Ｖに上げる。速度Ｖは、例えば３０００ｒｐｍである。この速度Ｖでターンテーブル３３が回転されると、検査チップ２に、数百Ｇほどの遠心力Ｘが作用する。ＣＰＵ９１は主軸モータ３５の回転速度を速度Ｖに保持する（Ｓ３）。図７（Ａ）に示すように、左辺部２３から右辺部２２に向けて、検査チップ２に遠心力Ｘが作用する。遠心力Ｘの作用によって試薬１６は、試薬保持部１３１から供給部１３２に移動する。また、検体１７は、検体保持部１１１から検体供給部１１２に移動する。尚、以下の説明では、ターンテーブル３３の回転速度は速度Ｖで一定であるとするが、速度Ｖの値が遠心処理の途中で変更されてもよい。
【００７０】
次いで、ＣＰＵ９１は自転コントローラ９８を制御してステッピングモータ５１を駆動制御し、図７（Ｂ）に示すように、自転角度９０度まで検査チップ２を回転させる（Ｓ４）。この結果、上辺部２１から下辺部２４に向けて、検査チップ２に遠心力Ｘが作用する。遠心力Ｘの作用によって、試薬１６は、供給部１３２から、第三案内部１３９を介して試薬定量部１３４に流れる。試薬定量部１３４において余った試薬１６は、第二案内部１３７を介して試薬余剰部１３６に流れる。遠心力Ｘは試薬定量面１４６に垂直な方向に作用する。これによって、試薬定量部１３４の容量分の試薬１６が定量される。また、検体１７は、検体供給部１１２から、検体案内部１１３を介して分離部１２４に流れる。分離部１２４において余った検体１７は、通路１２５を介して検体余剰部１２６に流れる。このため、分離部１２４の容量分の検体１７が分離部１２４に残る。分離部１２４の容量は、図２に示す分離部１２４における通路１２５側の端部１４７から、右方向に延びる仮想面１４８より下方の液体流路２５の容量である。
【００７１】
次に、図１０及び図１１を参照して、図７（Ａ）に示す自転角度０度から図７（Ｂ）に示す自転角度９０度迄の検査チップ２の自転時の第一試薬１８の流れを説明する。図１０に示すように、自転角度０度から自転角度９０度に向けて検査チップ２が自転される間に、供給部１３２から、第三案内部１３９を介して第一案内部１３８に第一試薬１８が流れ込む。第２角度θ２が第１角度θ１よりも大きいので、第一案内部１３８から混合部８０側に第一試薬１８が流出する可能性が低減される。また、第２角度θ２が第４角度θ４よりも大きいので、第２角度θ２を形成する第一案内部１３８の第二壁面３０８Ｂと、第４角度θ４を形成する第一案内部１３８の第一壁面３０８Ａとにより第一試薬１８が保持される。また、第５角度θ５が第６角度θ６よりも大きくなるように形成されている。従って、第一案内部１３８にて保持された第一試薬１８は試薬定量部１３４Ａ側に流れやすくなる。
また、図５（Ａ）、図５（Ｂ）に示すように、第６角度θ６が第７角度θ７よりも大きくなっているので、供給部１３２から第一試薬１８が第三案内部１３９を介して試薬定量部１３４Ａに注入される際に、供給部１３２から流出した第一試薬１８が第一案内部１３８から混合部８０側に流出する可能性を低減できる。
【００７２】
第一案内部１３８保持された試薬１８は、図１１に示すように、検査チップ２の自転角度が９０度に近づくにつれて、第一案内部１３８から試薬定量部１３４に流れ込む。第２角度θ２が第３角度θ３よりも大きいので、第一案内部１３８から混合部８０側に第一試薬１８が流出せずに、余剰部１３６Ａに余剰の第一試薬１８が流入する。また、第３角度θ３が第１角度θ１よりも大きいので、試薬定量部１３４Ａからあふれた第一試薬１８は、第二案内部１３７の壁面１３７Ａに沿って、余剰部１３６Ａ側に流れ込み易くなる。また、第３角度θ３が第４角度θ４よりも大きいので、試薬定量部１３４Ａからあふれた第一試薬１８は、第一案内部１３８側に流れずに、第二案内部１３７の壁面１３７Ａに沿って、余剰部側１３６Ａに流れ込み易くなる。  
【００７３】
ＣＰＵ９１は、所定時間の間、主軸モータ３５の回転速度を速度Ｖに保持する（Ｓ５）。これによって、所定時間の間、上辺部２１から下辺部２４に向けて、検査チップ２に遠心力Ｘが作用する。これによって、図７（Ｃ）に示すように、分離部１２４においては、検体１７の成分が検体１７Ａと検体１７Ｂとに分離される。例えば、検体１７が血液の場合、比重の大きい血球が遠心力Ｘの作用方向側に溜まり、比重の小さい血漿が遠心力Ｘの作用方向の反対側に溜まる。すなわち、血液中の血球である検体１７Ｂと血漿である検体１７Ａとが分離される。
【００７４】
次いで、ＣＰＵ９１は、自転コントローラ９８を制御してステッピングモータ５１を駆動制御し、図８（Ｄ）に示すように、自転角度０度まで検査チップ２を回転させる（Ｓ６）。この結果、左辺部２３から右辺部２２に向けて検査チップ２に遠心力Ｘが作用する。
【００７５】
図８（Ｄ）に示す状態に検査チップ２の姿勢が変化すると、部分受け部３０４の容量分の第一試薬１８が部分受け部３０４に残る。また、試薬定量部１３４Ａの容量から部分受け部３０４の容量を引いた差分容量分の第一試薬１８が混合部８０に貯留される。また、試薬定量部１３４Ｂにおいて定量された第二試薬１９は、試薬受け部３４１に移動する。また、検体１７Ａは通路１２７を通って第二供給部１２３に移動する。尚、分離部１２４に残った検体１７Ａと、検体１７Ｂの一部とは、連結流路１２０を介して成分保持部１２１に移動する。
【００７６】
次いで、ＣＰＵ９１は、自転コントローラ９８を制御してステッピングモータ５１を駆動制御し、図８（Ｅ）に示すように、自転角度９０度まで検査チップ２を回転させる（Ｓ７）。この結果、上辺部２１から下辺部２４に向けて遠心力Ｘが作用する。遠心力Ｘの作用によって、検体１７Ａは、第二供給部１２３から、第二案内部１２８を介して検体定量部１１４に流れる。検体定量部１１４において余った検体１７Ａは、通路１１５を介して第二余剰部１１６に流れる。遠心力Ｘは検体定量面１２９に垂直な方向に作用する。これによって、検体定量部１１４の容量分の検体１７Ａが定量される。また、部分受け部３０４に保持されていた第一試薬１８は、試薬受け部３０５に移動する。また、試薬受け部３４１に保持されていた第二試薬１９は、試薬受け部３４２に移動する。
【００７７】
次いで、ＣＰＵ９１は、自転コントローラ９８を制御してステッピングモータ５１を駆動制御し、図８（Ｆ）に示すように、自転角度０度まで検査チップ２を回転させる（Ｓ８）。この結果、左辺部２３から右辺部２２に向けて検査チップ２に遠心力Ｘが作用する。
【００７８】
図８（Ｅ）に示す状態から図８（Ｆ）に示す状態に検査チップ２の姿勢が変化する過程及び図８（Ｆ）に示す検査チップ２の姿勢において遠心力Ｘが作用することで、第一試薬１８と検体１７Ａとが混合され、図８（Ｆ）に示すように第一混合液２６１が生成される。また、第二試薬１９は、試薬受け部３４２から試薬受け部３４３に移動する。
【００７９】
次いで、ＣＰＵ９１は、自転コントローラ９８を制御してステッピングモータ５１を駆動制御し、図９（Ｇ）に示すように、自転角度９０度まで検査チップ２を回転させる（Ｓ９）。この結果、上辺部２１から下辺部２４に向けて検査チップ２に遠心力Ｘが作用する。第二試薬１９は、試薬受け部３４３から試薬受け部３４４に移動する。試薬受け部３４４に移動した第二試薬１９は、合流孔部３５１を介して前面２０１に形成された第一接続流路３０１に合流する。
【００８０】
次いで、ＣＰＵ９１は、自転コントローラ９８を制御してステッピングモータ５１を駆動制御し、図９（Ｈ）に示すように、自転角度０度まで検査チップ２を回転させる（Ｓ１０）。この結果、左辺部２３から右辺部２２に向けて検査チップ２に遠心力Ｘが作用する。遠心力Ｘの作用によって、第二試薬１９は混合部８０に移動し、第一混合液２６１と合流する。遠心力Ｘの作用によって、第一試薬１８、第二試薬１９、及び検体１７Ａが混合された第二混合液２６２が生成される。
【００８１】
次いで、ＣＰＵ９１は、自転コントローラ９８を制御してステッピングモータ５１を駆動制御し、図９（Ｉ）に示すように、自転角度９０度まで検査チップ２を回転させる（Ｓ１１）。この結果、上辺部２１から下辺部２４に向けて検査チップ２に遠心力Ｘが作用する。遠心力Ｘの作用によって、第二混合液２６２は、測定部８１に移動する。
【００８２】
図９には図示しないが、Ｓ１１が実行された後、ＣＰＵ９１は自転コントローラ９８を制御し、ステッピングモータ５１を駆動する。ＣＰＵ９１は、自転角度０度まで検査チップ２を回転させる（Ｓ１２）。また、ＣＰＵ９１は公転コントローラ９７を制御し、主軸モータ３５の回転を停止する（Ｓ１２）。故に、検査チップ２の公転が終了する。遠心処理は終了される。
【００８３】
遠心処理の実行後、ＣＰＵ９１は公転コントローラ９７を制御し、検査チップ２を測定位置の角度まで回転移動させる。図１に示す測定コントローラ９９が光源７１を発光させると、測定光が測定部８１に貯溜された第二混合液２６２を通る。ＣＰＵ９１は光センサ７２が受光した測定光の変化量に基づいて、第二混合液２６２の光学測定を行い、測定データを取得する。ＣＰＵ９１は、取得された測定データに基づいて、第二混合液２６２の測定結果を算出する。測定結果に基づく第二混合液２６２の検査結果が、図１に示すディスプレイ９６に表示される。尚、第二混合液２６２の測定方法は、光学測定に限られず、他の方法でもよい。
【００８４】
上記実施形態において、第一試薬１８は本発明の「試薬」の一例である。第二試薬１９は本発明の「追加試薬」の一例である。試薬定量部１３４Ａは本発明の「定量部」の一例である。試薬定量部１３４Ｂは本発明の「定量部」の一例である。傾斜面１５０Ｂが本発明の「傾斜面」の一例である。
【００８５】
尚、本発明は上記の実施形態に限定されるものではなく、種々の変更が可能である。例えば、第一試薬１８は、検体に変えてもよい。また、測定部８１は、混合部８０の下部であったが、混合部８０とは別に設けられていてもよい。
【００８６】
また、試薬定量流路１５と第二接続流路３３１とは後面２０２側に形成され、試薬定量流路１３と第一接続流路３０１とは前面２０１に形成されていたが、これに限定されない。例えば、試薬定量流路１５、第二接続流路３３１、試薬定量流路１３、及び第一接続流路３０１が前面２０１に形成されてもよい。この場合、第一接続流路３０１と第二接続流路３３１とが合流孔部３５１において合流するのではなく、前面２０１の流路において合流してもよい。また、試薬定量流路１５及び第二接続流路３３１が検査チップ２に設けられなくてもよい。また、本実施例では、試薬定量部１３４は、試薬を定量する定量部であるが検体の定量部に用いてもよい。
【符号の説明】
【００８７】
１ 検査装置
２ 検査チップ
１７，１７Ａ，１７Ｂ 検体
１８ 第一試薬
１９ 第二試薬
２０ 板材
８０ 混合部
１１４ 検体定量部
１２８ 第二案内部
１２９ 検体定量面
１３４，１３４Ａ，１３４Ｂ 試薬定量部
１３７ 第二案内部
１３８  第一案内部
１３９ 第三案内部
１４０  第二端部
１４１ 第一接続部
１４２ 第二接続部
１４６ 試薬定量面
１５０Ｂ  傾斜面
１５４  連通路
【図１】
0006028720.tif 000002
【図２】
0006028720.tif 000003
【図３】
0006028720.tif 000004
【図４】
0006028720.tif 000005
【図５】
0006028720.tif 000006
【図６】
0006028720.tif 000007
【図７】
0006028720.tif 000008
【図８】
0006028720.tif 000009
【図９】
0006028720.tif 000010
【図１０】
0006028720.tif 000011
【図１１】
0006028720.tif 000012